(57)【要約】【課題】放熱性に優れるホルダに発光素子を装備させて発光素子から出射されるレーザ光の波長の大きな変動を抑えるものとさせると共に、コンパクト化を図り、少々、乱暴に扱われても破損され難い光ピックアップ装置を提供する。【解決手段】レーザ光を発する発光素子２０と、発光素子２０が装備されるハウジング５とを備えた光ピックアップ装置１において、発光素子２０は、発光素子２０を保護するホルダ２５に収められ、ホルダ２５に、発光素子２０から発せられる熱を発散させる突出部２７が設けられ、突出部２７は、ハウジング５内に位置するものとさせた。前記突出部２７は、前記発光素子２０の放熱を促進させる熱発散部と、前記ハウジング５に衝撃が加えられたときにハウジング５から前記ホルダ２５が外されることを防止するホルダ支持部とを兼ねたものとさせた。【選択図】図１
2005339759.tif 000002
【特許請求の範囲】
【請求項１】
レーザ光を発する発光素子と、
該発光素子が装備されるハウジングと
を備えた光ピックアップ装置において、
前記発光素子は、該発光素子を保護するホルダに収められ、
該ホルダに、該発光素子から発せられる熱を発散させる突出部が設けられ、
該突出部は、前記ハウジング内に位置することを特徴とする光ピックアップ装置。
【請求項２】
前記突出部は、
前記発光素子の放熱を促進させる熱発散部と、
前記ハウジングに衝撃が加えられたときに該ハウジングから前記ホルダが外されることを防止するホルダ支持部とを兼ねたことを特徴とする請求項１記載の光ピックアップ装置。
【請求項３】
前記突出部は、単一の突出部とされ、
該突出部に対応して、前記ハウジングに、該突出部が挿入可能な収容部が設けられたことを特徴とする請求項１又は２記載の光ピックアップ装置。
【請求項４】
前記突出部は、略矩形棒状に形成されて、一側面と、該一側面の反対側の他側面とを備え、
前記収容部は、該一側面に対応した一側壁と、該他側面に対応した他側壁とを備え、
該一側壁と、該他側壁とを結ぶ連結壁が設けられ、
該連結壁は、前記ハウジングの該収容部の上下に千鳥状に設けられたことを特徴とする請求項３記載の光ピックアップ装置。
【請求項５】
前記ホルダの前記突出部に対応して、前記ハウジングに、該突出部が収納可能な収容部が設けられ、
該突出部は、該収容部よりも小さく形成されて、該収容部内に隙間がもたされた状態で挿入可能とされ、
該ハウジングに該ホルダが取り付けられるときに、該突出部は、該ハウジングに対する該ホルダの取付位置が調整可能なものとして、該収容部内に収納されたことを特徴とする請求項１〜４の何れか１項に記載の光ピックアップ装置。
【請求項６】
前記ハウジングに対し前記ホルダを位置決めさせ易くする案内部が、該ハウジングに設けられ、
該案内部に対応した相手側案内部が、該ホルダに設けられ、
該ハウジングに該ホルダが取り付けられるときに、
該ハウジングの該案内部に、該ホルダの相手側案内部が合わせられることで、
該ホルダは、位置決めされつつ、該ハウジングに取り付けられたことを特徴とする請求項１〜５の何れか１項に記載の光ピックアップ装置。
【請求項７】
前記ハウジングに対して前記ホルダが固定されるときに、紫外線が照射されることで硬化する紫外線硬化型接着剤が用いられて、該ハウジングに該ホルダが固定されたことを特徴とする請求項１〜６の何れか１項に記載の光ピックアップ装置。
【請求項８】
前記発光素子へ電流を供給するためのフレキシブル基板が設けられ、且つ、該発光素子が繋げられる接続部が該フレキシブル基板に設けられ、
前記ホルダから突出された該発光素子の端子部と、該フレキシブル基板における該接続部の導体部とが半田付けされることで、該発光素子は、該フレキシブル基板に通電可能に
接続され、
該フレキシブル基板は、前記ハウジングを構成する周壁に沿って配索されると共に、該周壁は、該接続部近傍まで延設されたことを特徴とする請求項１〜７の何れか１項に記載の光ピックアップ装置。
【請求項９】
前記ハウジングは、合成樹脂材料が用いられて形成されたことを特徴とする請求項１〜８の何れか１項に記載の光ピックアップ装置。
【請求項１０】
前記ハウジングは、ノート型コンピュータ用ディスク装置に装備可能とされたことを特徴とする請求項１〜９の何れか１項に記載の光ピックアップ装置。
【発明の詳細な説明】
【技術分野】
【０００１】
本発明は、例えば光ディスク装置に用いられ、放熱性に優れると共に破損され難いホルダを備え、このホルダにレーザ光を出射可能な発光素子が装備されたコンパクトな光ピックアップ装置に関するものである。
【背景技術】
【０００２】
図７は、従来の光ピックアップ装置の一形態を示すものである。
【０００３】
ＬＤＤ５１０からＬＤ５２０へ電流が流されて、ＬＤ５２０からレーザ光が出力される。「ＬＤ」は、「Laser Diode 」の略称とされる。また、ＬＤは、レーザ光を出射するものとされていることから、発光素子とも呼ばれている。また、「ＬＤＤ」は、「ＬＤ Driver 」の略称とされ、ＬＤ５２０を駆動させてＬＤ５２０からレーザ光を出させるレーザ駆動回路とされている。「ＬＤＤ」は、レーザドライバ等と呼ばれている。レーザドライバ（ＬＤＤ）５１０からレーザダイオード（ＬＤ）５２０に電流が供給され、ＬＤ５２０から出射されたレーザ光により、ディスク７００に情報の記録が行われたり、ディスク７００に記録された情報の再生が行われたりする。
【０００４】
ＬＤ５２０から出力されたレーザ光は、回折格子５３０、中間レンズ５４０、ハーフミラー５５０、対物レンズ５６０を介して、ディスク７００に照射される。ディスク７００から反射されたレーザ光の一部は、ＰＤＩＣ５７０に当てられる。「ＰＤＩＣ」は、「Photo Diode IC」の略称とされている。ＰＤＩＣ５７０は、光を受けて、その信号を電気信号に変えて、光学式ピックアップ装置５０１のレンズホルダ（図示せず）のサーボ機構（図示せず）を動作させるためのものとされている。ＰＤＩＣは、光が当てられたときにその光を検出するものとされていることから、光検出器とも呼ばれている。サーボ（servo ）とは、制御の対象の状態を測定し、予め定められた基準値と比較して、自動的に修正制御する機構のものを意味する。
【０００５】
また、ＬＤ５２０から出力されるレーザ光の一部は、ＦＭＤ５８０に入る。「ＦＭＤ」は、「Front Monitor Diode 」の略称とされる。フロントモニタダイオード（ＦＭＤ）は、レーザダイオードから出力されるレーザ光をモニタして、レーザダイオードの制御のためにフィードバックをかけるものとされている。
【０００６】
前記ＬＤＤ５１０、前記ＬＤ５２０、前記回折格子５３０、前記中間レンズ５４０、前記ハーフミラー５５０、前記対物レンズ５６０、前記ＰＤＩＣ５７０、前記ＦＭＤ５８０は、不図示のハウジングに装備される。また、前記ＬＤＤ５１０、前記ＬＤ５２０、前記ＰＤＩＣ５７０、前記ＦＭＤ５８０は、ＦＰＣ５０５に通電可能に接続されている。「ＦＰＣ」は、「Flexible Printed Circuit」の略称とされている。フレキシブルプリント回路体（ＦＰＣ）は、複数の回路導体が絶縁シートに印刷されて、例えば銅箔などの金属箔が絶縁シートに並設され、その上に保護層が設けられたものとされている。光学式ピックアップ装置５０１は、上述した各種のものを備えるものとして構成されている。なお、光学式ピックアップ装置５０１は、図示されたもの以外に、他のもの（図示せず）も備えるものとされているが、図７においては、それらの他のものは、便宜上、省略した。
【０００７】
前記光学式ピックアップ装置５０１が用いられて、メディアにおける情報などのデータの再生または記録が行われる。メディアとして、例えば、ＣＤ−ＲＯＭ，ＤＶＤ−ＲＯＭなどの読出し専用の光ディスクや、ＣＤ−Ｒ，ＤＶＤ±Ｒなどの追記型の光ディスクや、ＣＤ−ＲＷ，ＤＶＤ±ＲＷ，ＤＶＤ−ＲＡＭなどの書込み／消去や書換え可能なタイプの
光ディスクなどといった各種光ディスクが挙げられる。
【０００８】
「ＣＤ」は、「Compact Disc」の略称とされる。また、「ＤＶＤ」は、「Digital Versatile Disc」もしくは「Digital Video Disc」の略称とされる。また、「ＣＤ−ＲＯＭ」もしくは「ＤＶＤ−ＲＯＭ」の「ＲＯＭ」は、「Read Only Memory」の略称とされ、ＣＤ−ＲＯＭもしくはＤＶＤ−ＲＯＭは、読出し専用のものとされている。また、「ＣＤ−Ｒ」もしくは「ＤＶＤ±Ｒ」の「Ｒ」は、「Recordable」の略称とされ、ＣＤ−ＲもしくはＤＶＤ±Ｒは、書込み可能なものとされている。また、「ＣＤ−ＲＷ」もしくは「ＤＶＤ±ＲＷ」の「ＲＷ」は、「ReWritable」の略称とされ、ＣＤ−ＲＷもしくはＤＶＤ±ＲＷは、書換え可能なものとされている。また、「ＤＶＤ−ＲＡＭ」は、「Digital Versatile Disc Random Access Memory 」の略称とされ、読み書き・消去が可能なものとされている。
【０００９】
光ピックアップ装置５０１は、前記各種の光ディスクに記録されたデータを再生させたり、前記書込み可能もしくは書換え可能な各種光ディスクにデータを記録させたりするものとされている。
【００１０】
ＬＤＤ５１０に電流が供給されることで、ＬＤ５２０からレーザ光が出射される。このとき、ＬＤ５２０から熱が発生する。この熱により、ＬＤ５２０の温度が変化する。ＬＤ５２０からレーザ光が出射されるときに、ＬＤ５２０におけるレーザの発振波長は、温度に依存するため、ＬＤ５２０の温度が大きく変化すると、ＬＤ５２０から出射されるレーザ光の波長が変動する。また、ＬＤＤ５１０からＬＤ５２０へ電流が供給されて、ＬＤ５２０からレーザ光が出射されるときに、ＬＤＤ５１０から熱が発生する。ＬＤＤ５１０およびＬＤ５２０は、光ピックアップ装置５０１における主な熱源とされる。
【００１１】
レーザドライバから発せられる熱対策が行われたものとして、例えば半導体レーザが保持された金属製のレーザホルダに放熱作用のある放熱塗料が塗布された光学ヘッドにおける放熱装置というものがある（例えば特許文献１参照）。
【特許文献１】特開２００４−１０３０８４号公報（第１−２頁、第１図）
【発明の開示】
【発明が解決しようとする課題】
【００１２】
近年、光ディスク装置（図示せず）や、不図示の光ディスク装置に装備される光ピックアップ装置５０１の更なる軽量化や小型化が要求されている。このため、ＬＤ５２０、回折格子５３０、中間レンズ、ハーフミラー５５０、対物レンズ５６０、ＰＤＩＣ５７０などが取り付けられる金属製のハウジング（図示せず）を、樹脂製のハウジング（図示せず）とさせて、光ピックアップ装置５０１の軽量化を図ることが考えられた。金属製のハウジングを樹脂製のハウジングとさせた場合、光ピックアップ装置５０１は軽量化される。
【００１３】
しかしながら、金属製のハウジングのほうが、樹脂製のハウジングよりも熱伝導性に優れるものとされているため、樹脂製のハウジングが光ピックアップ装置に用いられた場合、発熱されたＬＤ５２０の熱の発散は、行われ難くなることが懸念されていた。
【００１４】
上述した如く、ＬＤ５２０からレーザ光が出射されるときに、ＬＤ５２０におけるレーザの発振波長は、温度に依存するため、ＬＤ５２０の温度が大きく変化すると、ＬＤ５２０から出射されるレーザ光の波長が変動する。ＬＤ５２０自身が発する熱により、ＬＤ５２０が蓄熱されると、ＬＤ５２０から出射されるレーザ光の波長が変動し、ＬＤ５２０から定められた波長のレーザ光が出射されないことが心配されていた。
【００１５】
ＬＤ（発光素子）５２０の放熱を促進させるために、例えばＬＤ（発光素子）５２０も
しくはＬＤ（発光素子）５２０が取り付けられるものに、多数の放熱フィン（図示せず）を設けることも考えられた。しかしながら、そのようにすると、多数の放熱フィンにより、光ピックアップ装置５０１が大きなものとなることが懸念される。
【００１６】
また、光ピックアップ装置５０１が、少々、乱暴に取り扱われることがあっても、問題が生じることのない光ピックアップ装置の提供を、光ピックアップ装置の組立メーカや、光ディスク装置の組立メーカなどから要求されてきた。
【００１７】
本発明は、上記問題点を解決することにある。本発明は、上記した点に鑑み、放熱性に優れるホルダに発光素子を装備させて発光素子から出射されるレーザ光の波長の大きな変動を抑えるものとさせると共に、コンパクト化を図り、少々、乱暴に扱われても破損され難い光ピックアップ装置を提供することを目的とする。
【課題を解決するための手段】
【００１８】
上記目的を達成するために、本発明の請求項１に係る光ピックアップ装置は、レーザ光を発する発光素子と、該発光素子が装備されるハウジングとを備えた光ピックアップ装置において、前記発光素子は、該発光素子を保護するホルダに収められ、該ホルダに、該発光素子から発せられる熱を発散させる突出部が設けられ、該突出部は、前記ハウジング内に位置することを特徴とする。
【００１９】
上記構成により、発光素子から発せられる熱は、発光素子を保護するホルダに設けられた突出部などホルダ全体から外部へ逃され易くなる。発光素子を備えるホルダに、発光素子から発せられる熱を発散させる突出部が設けられているから、ホルダ全体の表面積が増やされる。従って、発光素子を備えるホルダが蓄熱されるということは回避され、ホルダ全体から熱が逃がされ易くなる。これにより、発光素子自身から発せられた熱によって、ホルダに収められた発光素子が蓄熱され、このことから、発光素子から定められた波長のレーザ光が出射されないということは、回避される。発光素子の温度上昇が抑えられるから、定められた波長のレーザ光が発光素子から出射される。また、発光素子から発せられる熱を発散させるホルダの突出部は、ハウジング内に位置するものとされているから、ホルダの突出部が光ピックアップ装置の外側に向けてとび出された状態となることは、回避される。従って、光ピックアップ装置は、コンパクトなものとして構成される。
【００２０】
請求項２に係る光ピックアップ装置は、請求項１記載の光ピックアップ装置において、前記突出部は、前記発光素子の放熱を促進させる熱発散部と、前記ハウジングに衝撃が加えられたときに該ハウジングから前記ホルダが外されることを防止するホルダ支持部とを兼ねたことを特徴とする。
【００２１】
上記構成により、発光素子の放熱は、速やかに行われると共に、ハウジングに不用意に衝撃が加えられても、発光素子を備えるホルダがハウジングから外れるということは、回避され易くなる。従って、光ピックアップ装置が、少々、乱暴に扱われても、破損され難い光ピックアップ装置の提供が可能となる。
【００２２】
請求項３に係る光ピックアップ装置は、請求項１又は２記載の光ピックアップ装置において、前記突出部は、単一の突出部とされ、該突出部に対応して、前記ハウジングに、該突出部が挿入可能な収容部が設けられたことを特徴とする。
【００２３】
上記構成により、発光素子が収められるホルダに設けられた突出部は、ハウジングに設けられた所定の収容部に容易に挿入される。従って、ハウジングに対するホルダの装着作業は、容易に行われる。また、ホルダの突出部が挿入可能な収容部が、ハウジングに設けられているから、光ピックアップ装置が、少々、乱暴に扱われて、光ピックアップ装置を
構成するハウジングに衝撃が加えられても、ハウジングからホルダが簡単に外れ、光ピックアップ装置が破損するということは、回避され易くなる。従って、破損され難い光ピックアップ装置の提供が可能となる。
【００２４】
請求項４に係る光ピックアップ装置は、請求項３記載の光ピックアップ装置において、前記突出部は、略矩形棒状に形成されて、一側面と、該一側面の反対側の他側面とを備え、前記収容部は、該一側面に対応した一側壁と、該他側面に対応した他側壁とを備え、該一側壁と、該他側壁とを結ぶ連結壁が設けられ、該連結壁は、前記ハウジングの該収容部の上下に千鳥状に設けられたことを特徴とする。
【００２５】
上記構成により、ホルダ内に収めされた発光素子から生じる熱は、ホルダの突出部が収容可能なハウジングの収容部内にこもることなく、ハウジングの外部に逃される。ホルダ内に収めされた発光素子から生じた熱は、ハウジングの収容部の上下に千鳥状に設けられた連結壁以外の空間を通り抜け、ハウジングの外部へ逃される。また、ハウジングに不用意に衝撃が加えられても、収容部を構成する一側壁や、他側壁や、一側壁と他側壁とを結ぶ上下千鳥状の連結壁に、ホルダの突出部が当てられ、それ以上、ホルダの突出部の位置がずれるということは、回避される。従って、ハウジングに不用意に衝撃が加えられても、発光素子を備えるホルダがハウジングから外れ、光ピックアップ装置が破損するということは、回避され易くなる。
【００２６】
請求項５に係る光ピックアップ装置は、請求項１〜４の何れか１項に記載の光ピックアップ装置において、前記ホルダの前記突出部に対応して、前記ハウジングに、該突出部が収納可能な収容部が設けられ、該突出部は、該収容部よりも小さく形成されて、該収容部内に隙間がもたされた状態で挿入可能とされ、該ハウジングに該ホルダが取り付けられるときに、該突出部は、該ハウジングに対する該ホルダの取付位置が調整可能なものとして、該収容部内に収納されたことを特徴とする。
【００２７】
上記構成により、発光素子がハウジングに装備されるときに、突出部を備えるホルダ内に収められた発光素子の取付位置は、容易に調整される。ハウジングに設けられた所定の収容部に対し、ホルダの突出部は、調整可能なものとされているから、発光素子を備えるホルダは、精度よくハウジングに取り付けられる。また、これにより、光路系のものが精度よく組み立てられて構成された光ピックアップ装置の提供が可能となる。
【００２８】
請求項６に係る光ピックアップ装置は、請求項１〜５の何れか１項に記載の光ピックアップ装置において、前記ハウジングに対し前記ホルダを位置決めさせ易くする案内部が、該ハウジングに設けられ、該案内部に対応した相手側案内部が、該ホルダに設けられ、該ハウジングに該ホルダが取り付けられるときに、該ハウジングの該案内部に、該ホルダの相手側案内部が合わせられることで、該ホルダは、位置決めされつつ、該ハウジングに取り付けられたことを特徴とする。
【００２９】
上記構成により、ホルダは、精度よく位置決めされた状態でハウジングに取り付けられる。また、ハウジングの案内部に、ホルダの相手側案内部が合わせられているから、光ピックアップ装置が、少々、乱暴に取り扱われ、光ピックアップ装置を構成するハウジングが衝撃を受けても、ハウジングからホルダが簡単に外れ、光ピックアップ装置が破損するということは、回避され易くなる。従って、位置調整が行われ易く、且つ、衝撃に強い光ピックアップ装置の提供が可能となる。
【００３０】
請求項７に係る光ピックアップ装置は、請求項１〜６の何れか１項に記載の光ピックアップ装置において、前記ハウジングに対して前記ホルダが固定されるときに、紫外線が照射されることで硬化する紫外線硬化型接着剤が用いられて、該ハウジングに該ホルダが固
定されたことを特徴とする。
【００３１】
上記構成により、発光素子を備えるホルダは、容易で迅速にハウジングに固定される。紫外線硬化型接着剤に紫外線が照射されることで、紫外線硬化型接着剤の硬化反応が促進され、ハウジングに対し、ホルダは、速やかに接着される。また、接着剤として紫外線硬化型接着剤が用いられているから、ハウジングに対し、ホルダは、精度よく固定される。従って、発光素子を備えるホルダがハウジングに精度よく固定されて構成された光ピックアップ装置の提供が可能となる。
【００３２】
請求項８に係る光ピックアップ装置は、請求項１〜７の何れか１項に記載の光ピックアップ装置において、前記発光素子へ電流を供給するためのフレキシブル基板が設けられ、且つ、該発光素子が繋げられる接続部が該フレキシブル基板に設けられ、前記ホルダから突出された該発光素子の端子部と、該フレキシブル基板における該接続部の導体部とが半田付けされることで、該発光素子は、該フレキシブル基板に通電可能に接続され、該フレキシブル基板は、前記ハウジングを構成する周壁に沿って配索されると共に、該周壁は、該接続部近傍まで延設されたことを特徴とする。
【００３３】
上記構成により、ハウジングに不用意に衝撃が加えられても、発光素子を備えるホルダがハウジングから外れ、光ピックアップ装置が破損するということは、より回避され易くなる。ホルダから突出された発光素子の端子部と、フレキシブル基板における接続部の導体部とが半田付けされることで、発光素子を備えるホルダは、ハウジングに対し、より動かされ難いものとなる。また、ハウジングを構成する周壁に沿ってフレキシブル基板が配索されると共に、ハウジングの周壁は、フレキシブル基板の接続部近傍まで延設されているから、ハウジングに対し、フレキシブル基板も動かされ難いものとなる。これにより、フレキシブル基板の接続部に半田付けされた発光素子を備えるホルダは、ハウジングに対して動かされ難いものとなる。従って、光ピックアップ装置に衝撃などが加えられることにより、発光素子を備えるホルダがハウジングから不用意に外れ、光ピックアップ装置が破損するということは、より回避され易いものとなる。
【００３４】
請求項９に係る光ピックアップ装置は、請求項１〜８の何れか１項に記載の光ピックアップ装置において、前記ハウジングは、合成樹脂材料が用いられて形成されたことを特徴とする。
【００３５】
上記構成により、軽量化された光ピックアップ装置の提供が可能となる。昨今、光ピックアップ装置や、光ピックアップ装置を備える光ディスク装置のさらなる軽量化が要求されているが、合成樹脂材料が用いられてハウジングが形成され、これが光ピックアップ装置に装備されることで、軽量化が行われた光ピックアップ装置が構成される。金属系材料に代えて合成樹脂材料が用いられてハウジングが形成されることで、ハウジングの軽量化が図られる。熱伝導性については、金属系材料のハウジングのほうが良いものとされている。しかしながら、発光素子を備えるホルダに、発光素子から発せられる熱を発散させる突出部が設けられているから、発光素子自身から発せられる熱により、ホルダに収められた発光素子が蓄熱されて、発光素子から出射されるレーザ光の波長が変動し、発光素子から定められた波長のレーザ光が出射されないということは、回避される。従って、光ピックアップ装置の軽量化を図るために、合成樹脂製のハウジングが光ピックアップ装置に適用されても、発光素子から定められた波長のレーザ光が出射される。
【００３６】
請求項１０に係る光ピックアップ装置は、請求項１〜９の何れか１項に記載の光ピックアップ装置において、前記ハウジングは、ノート型コンピュータ用ディスク装置に装備可能とされたことを特徴とする。
【００３７】
上記構成により、デスクトップ型コンピュータ用ディスク装置よりも使用温度条件が厳しいノート型コンピュータ用ディスク装置に、光ピックアップ装置が装備されても、光ピックアップ装置は正常に機能する。最近のノート型コンピュータは、高性能化されると共に、小型化、軽量化、軽薄化される傾向にある。ノート型コンピュータの小型化、軽量化、軽薄化に伴って、光ピックアップ装置も、小型化、軽量化、軽薄化されつつある。また、ノート型コンピュータが高性能化されると、ノート型コンピュータから多くの熱が発生することとなる。デスクトップ型コンピュータに対し、ノート型コンピュータは小さいものとされ、また、ノート型コンピュータが高性能化されることにより、ノート型コンピュータの内部は、デスクトップ型コンピュータの内部よりも高温となり易い。従って、ノート型コンピュータ用ディスク装置に装備された光ピックアップ装置は、高温に曝され易くなり、熱の影響を受け易くなる。しかしながら、発光素子が収められるホルダに、発光素子から発せられる熱を発散させる突出部が設けられていれば、発光素子の温度上昇は抑えられるから、定められた波長のレーザ光が発光素子から出射される。従って、ノート型コンピュータ用ディスク装置の光ピックアップ装置の発光素子から出射されるレーザ光の波長に、大きな変動が生じるということは、回避され易くなる。
【発明の効果】
【００３８】
以上の如く、請求項１記載の発明によれば、発光素子から発せられる熱は、発光素子を保護するホルダに設けられた突出部などホルダ全体から外部へ逃され易くなる。発光素子を備えるホルダに、発光素子から発せられる熱を発散させる突出部が設けられているから、ホルダ全体の表面積を増やすことができる。従って、発光素子を備えるホルダが蓄熱されるということは回避され、ホルダ全体から熱を逃すことができる。これにより、発光素子自身から発せられた熱によって、ホルダに収められた発光素子が蓄熱され、このことから、発光素子から定められた波長のレーザ光が出射されないということは、回避される。発光素子の温度上昇が抑えられるから、定められた波長のレーザ光を発光素子から出射させることができる。また、発光素子から発せられる熱を発散させるホルダの突出部は、ハウジング内に位置するものとされているから、ホルダの突出部が光ピックアップ装置の外側に向けてとび出された状態となることは、回避される。従って、光ピックアップ装置をコンパクトなものとして構成することができる。
【００３９】
請求項２記載の発明によれば、発光素子の放熱を速やかに行わせることができると共に、ハウジングに不用意に衝撃が加えられても、発光素子を備えるホルダがハウジングから外れるということを、回避させ易くすることができる。従って、光ピックアップ装置が、少々、乱暴に扱われても、破損され難い光ピックアップ装置を提供することができる。
【００４０】
請求項３記載の発明によれば、発光素子が収められるホルダに設けられた突出部を、ハウジングに設けられた所定の収容部に容易に挿入させることができる。従って、ハウジングに対するホルダの装着作業を容易なものとさせることができる。また、ホルダの突出部が挿入可能な収容部が、ハウジングに設けられているから、光ピックアップ装置が、少々、乱暴に扱われて、光ピックアップ装置を構成するハウジングに衝撃が加えられても、ハウジングからホルダが簡単に外れ、光ピックアップ装置が破損するということは、回避され易くなる。従って、破損され難い光ピックアップ装置を提供することができる。
【００４１】
請求項４記載の発明によれば、ホルダ内に収めされた発光素子から生じる熱は、ホルダの突出部が収容可能なハウジングの収容部内にこもることなく、ハウジングの外部に逃される。ホルダ内に収めされた発光素子から生じた熱は、ハウジングの収容部の上下に千鳥状に設けられた連結壁以外の空間を通り抜け、ハウジングの外部へ逃される。また、ハウジングに不用意に衝撃が加えられても、収容部を構成する一側壁や、他側壁や、一側壁と他側壁とを結ぶ上下千鳥状の連結壁に、ホルダの突出部が当てられ、それ以上、ホルダの突出部の位置がずれるということは、回避される。従って、ハウジングに不用意に衝撃が
加えられても、発光素子を備えるホルダがハウジングから外れ、光ピックアップ装置が破損するということを、回避させ易くすることができる。
【００４２】
請求項５記載の発明によれば、発光素子がハウジングに装備されるときに、突出部を備えるホルダ内に収められた発光素子の取付位置を、容易に調整することができる。ハウジングに設けられた所定の収容部に対し、ホルダの突出部は、調整可能なものとされているから、発光素子を備えるホルダを、精度よくハウジングに取り付けることができる。また、これにより、光路系のものが精度よく組み立てられて構成された光ピックアップ装置を提供することができる。
【００４３】
請求項６記載の発明によれば、ホルダは、精度よく位置決めされた状態でハウジングに取り付けられる。また、ハウジングの案内部に、ホルダの相手側案内部が合わせられているから、光ピックアップ装置が、少々、乱暴に取り扱われ、光ピックアップ装置を構成するハウジングが衝撃を受けても、ハウジングからホルダが簡単に外れ、光ピックアップ装置が破損するということは、回避され易くなる。従って、位置調整が行われ易く、且つ、衝撃に強い光ピックアップ装置を提供することができる。
【００４４】
請求項７記載の発明によれば、発光素子を備えるホルダを、容易で迅速にハウジングに固定することができる。紫外線硬化型接着剤に紫外線を照射させることで、紫外線硬化型接着剤の硬化反応を促進させ、速やかにホルダをハウジングに接着させることができる。また、接着剤として紫外線硬化型接着剤が用いられているから、ハウジングに対し、精度よくホルダを固定することができる。従って、発光素子を備えるホルダがハウジングに精度よく固定されて構成された光ピックアップ装置を提供することができる。
【００４５】
請求項８記載の発明によれば、ハウジングに不用意に衝撃が加えられても、発光素子を備えるホルダがハウジングから外れ、光ピックアップ装置が破損するということを、より回避させ易くすることができる。ホルダから突出された発光素子の端子部と、フレキシブル基板における接続部の導体部とが半田付けされることで、発光素子を備えるホルダは、ハウジングに対し、より動かされ難いものとなる。また、ハウジングを構成する周壁に沿ってフレキシブル基板が配索されると共に、ハウジングの周壁は、フレキシブル基板の接続部近傍まで延設されているから、ハウジングに対し、フレキシブル基板も動かされ難いものとなる。これにより、フレキシブル基板の接続部に半田付けされた発光素子を備えるホルダは、ハウジングに対して動かされ難いものとなる。従って、光ピックアップ装置に衝撃などが加えられることにより、発光素子を備えるホルダがハウジングから不用意に外れ、光ピックアップ装置が破損するということを、より回避させ易くすることができる。
【００４６】
請求項９記載の発明によれば、軽量化された光ピックアップ装置を提供することができる。昨今、光ピックアップ装置や、光ピックアップ装置を備える光ディスク装置のさらなる軽量化が要求されているが、合成樹脂材料が用いられてハウジングが形成され、これが光ピックアップ装置に装備されることで、軽量化が行われた光ピックアップ装置を構成することができる。金属系材料に代えて合成樹脂材料を用いてハウジングを形成することで、ハウジングの軽量化を図ることができる。熱伝導性については、金属系材料のハウジングのほうが良いものとされている。しかしながら、発光素子を備えるホルダに、発光素子から発せられる熱を発散させる突出部が設けられているから、発光素子自身から発せられる熱により、ホルダに収められた発光素子が蓄熱されて、発光素子から出射されるレーザ光の波長が変動し、発光素子から定められた波長のレーザ光が出射されないということは、回避される。従って、光ピックアップ装置の軽量化を図るために、合成樹脂製のハウジングが光ピックアップ装置に適用されても、発光素子から定められた波長のレーザ光が出射される。
【００４７】
請求項１０記載の発明によれば、デスクトップ型コンピュータ用ディスク装置よりも使用温度条件が厳しいノート型コンピュータ用ディスク装置に、光ピックアップ装置が装備されても、光ピックアップ装置は正常に機能する。最近のノート型コンピュータは、高性能化されると共に、小型化、軽量化、軽薄化される傾向にある。ノート型コンピュータの小型化、軽量化、軽薄化に伴って、光ピックアップ装置も、小型化、軽量化、軽薄化されつつある。また、ノート型コンピュータが高性能化されると、ノート型コンピュータから多くの熱が発生することとなる。デスクトップ型コンピュータに対し、ノート型コンピュータは小さいものとされ、また、ノート型コンピュータが高性能化されることにより、ノート型コンピュータの内部は、デスクトップ型コンピュータの内部よりも高温となり易い。従って、ノート型コンピュータ用ディスク装置に装備された光ピックアップ装置は、高温に曝され易くなり、熱の影響を受け易くなる。しかしながら、発光素子が収められるホルダに、発光素子から発せられる熱を発散させる突出部が設けられていれば、発光素子の温度上昇は抑えられるから、定められた波長のレーザ光が発光素子から出射される。従って、ノート型コンピュータ用ディスク装置の光ピックアップ装置の発光素子から出射されるレーザ光の波長に、大きな変動が生じるということを、回避させることができる。
【発明を実施するための最良の形態】
【００４８】
以下に本発明に係る光ピックアップ装置の一実施形態を図面に基づいて詳細に説明する。
【００４９】
図１は、本発明に係る光ピックアップ装置の一実施形態を示す分解斜視図、図２は、発光素子を備えるホルダがハウジングに取り付けられる状態を示す分解斜視図、図３は、発光素子を備えるホルダがハウジングに取り付けられた状態を示す斜視図、図４は、発光素子を備えるホルダがハウジングに取り付けられる状態を示す分解斜視図、図５は、発光素子を備えるホルダがハウジングに取り付けられた状態を示す斜視図、図６は、光ピックアップ装置が組み立てられた状態を示す斜視図である。
【００５０】
図１，図２，図３，図６は、光ピックアップ装置を上面側から眺めた斜視図である。また、図４，図５は、光ピックアップ装置を下面側から眺めた斜視図である。なお、この明細書における「上」、「下」の定義は、光ピックアップ装置を説明するための便宜上のものとされる。
【００５１】
光ピックアップ（optical pickup）は、「ＯＰＵ」と略称されている。光ピックアップ装置を備える光ディスク装置（図示せず）が用いられて、光ディスクに記録された情報などのデータが再生される。また、光ディスク装置が用いられて、光ディスクに情報などのデータの記録が行われる。光ディスクとして、例えば、「ＣＤ−ＲＯＭ」，「ＤＶＤ−ＲＯＭ」などの読出し専用の光ディスクや、「ＣＤ−Ｒ」，「ＤＶＤ−Ｒ」，「ＤＶＤ＋Ｒ」などの追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ  ＤＶＤ」，「Blu-ray Disc」などの書込み／消去や書換え可能なタイプの光ディスクなどが挙げられる。
【００５２】
上述した如く、「ＣＤ」は、「Compact Disc」の略称とされる。また、「ＤＶＤ」は、「Digital Versatile Disc」もしくは「Digital Video Disc」の略称とされる。また、「ＣＤ−ＲＯＭ」もしくは「ＤＶＤ−ＲＯＭ」の「ＲＯＭ」は、「Read Only Memory」の略称とされ、ＣＤ−ＲＯＭもしくはＤＶＤ−ＲＯＭは、データ読出し専用のものとされている。また、「ＣＤ−Ｒ」または「ＤＶＤ−Ｒ」もしくは「ＤＶＤ＋Ｒ」の「Ｒ」は、「Recordable」の略称とされ、ＣＤ−ＲまたはＤＶＤ−ＲもしくはＤＶＤ＋Ｒは、データの書込みが可能なものとされている。また、「ＣＤ−ＲＷ」または「ＤＶＤ−ＲＷ」もしくは「ＤＶＤ＋ＲＷ」の「ＲＷ」は、「ReWritable」の略称とされ、ＣＤ−ＲＷまたはＤＶＤ−ＲＷもしくはＤＶＤ＋ＲＷは、データの書換えが可能なものとされている。また、「Ｄ
ＶＤ−ＲＡＭ」は、「Digital Versatile Disc Random Access Memory 」の略称とされ、データの読み書き・消去が可能なものとされている。
【００５３】
また、「ＨＤ  ＤＶＤ」は、「High Definition DVD 」の略称とされる。「ＨＤ  ＤＶＤ」は、従来のＤＶＤ系列のものと互換性をもたせ、且つ、従来のＤＶＤ系列の光ディスクよりも記憶容量の大きいものとされる。従来のＣＤやＤＶＤには、赤色のレーザが用いられていたが、「ＨＤ  ＤＶＤ」の光ディスクに記録されたデータが読み出されるときには、青紫色のレーザが用いられる。また、「Blu-ray 」とは、従来のＣＤやＤＶＤで信号の読み書きに用いられていた赤色のレーザに対し、高密度記録が実現されるために採用された青紫色のレーザを意味するものとされている。
【００５４】
不図示のレーザドライバから発光素子２０（図１〜図６）へ電流が流されて、発光素子２０からレーザ光が出力される。不図示のレーザドライバは、発光素子２０を駆動させて、発光素子２０からレーザ光を出させるレーザ駆動回路とされている。また、上述した如く、レーザドライバは、「ＬＤ Driver 」と呼ばれ、「ＬＤＤ」と略称されている。
【００５５】
ＣＤを再生させるために、発光素子２０から約７７０〜８０５ｎｍ（ナノメータ）の波長のレーザ光が出力される。また、ＤＶＤを再生させるために、発光素子２０から約６３０〜６７０ｎｍの波長のレーザ光が出力される。このように、発光素子２０は、異なる波長のレーザ光を出射可能な２波長レーザダイオードとして構成されている。上述した如く、レーザダイオード（Laser Diode ）は、「ＬＤ」と略称されている。ＬＤ２０として２波長ＬＤ２０が用いられることにより、例えばＬＤの部品点数が削減化され、光ピックアップ装置１の小型軽量化が図られる。
【００５６】
前記２波長ＬＤ２０は、放熱性に優れる金属製のレーザホルダ２５内に収容されている。レーザホルダ２５内にＬＤ２０が収められていることから、レーザホルダ２５は、ＬＤホルダ２５などと呼ばれている。
【００５７】
不図示のレーザドライバからＬＤ２０に電流が供給され、ＬＤ２０から出射されたレーザ光により、不図示の光ディスクに情報の記録が行われたり、不図示の光ディスクに記録された情報の再生が行われたりする。
【００５８】
ＬＤ２０（図２，図３）から出力されたレーザ光は、ハウジング本体５Ｈを構成する外周壁５Ｂの一側壁５Ｂｉに穿設されたレーザ孔５Ｂｎ（図１，図２，図４）を通り抜け、回折格子７０（図１〜図３）、プリズム８０（図２，図３）、中間レンズ４０、リフレクトミラー５０、対物レンズ６０（図６）を介して、不図示の光ディスクに照射される。
【００５９】
回折格子７０（図１，図２）は、光の回折を利用して、ＬＤ２０から出されたレーザ光を一つのメインビームと、二つのサブビームとに分ける役割を果すものとされている。また、プリズム８０は、ＤＶＤ用のレーザ光が透過されるときに、非点が出されないものとさせる役目を果す。また、中間レンズ４０は、レーザ光を集める役割を果すものとされている。また、リフレクトミラー５０は、大部分のレーザ光を反射させ、一部のレーザ光を透過させるものとされている。リフレクトミラー（Reflect Mirror）は、「ＲＭ」と略称される。リフレクトミラー５０に代えて、例えばハーフミラーが用いられたものも使用可能とされる。対物レンズ６０は、ＬＤ２０から出されたレーザ光を、ＣＤやＤＶＤなどの光ディスク上に集光させる役割を果すものとされている。対物レンズは、「Objective Lens」と呼ばれ、「ＯＢＬ」と略称される。合成樹脂製の対物レンズ６０（図６）は、合成樹脂製のレンズホルダ６５に装着されている。
【００６０】
不図示の光ディスクから反射されたレーザ光の一部は、ハウジング本体５Ｈ（図１〜図
５）の内側に取り付けられたハーフミラー５５を通り、ハーフミラー５５の先に設けられた略矩形状の開口部５Ｄを通り抜けて、ハウジング本体５Ｈの外側に設けられた光検出器１０（図１，図６）に当てられる。光検出器１０は、不図示の光ディスクから反射されたレーザ光の一部の光軸延長線上に位置するものとされている。光検出器１０は、レーザ光を受けて、その信号を電気信号に変え、アクチュエータ３０（図６）のサーボ機構により、ＯＢＬ６０を備えたレンズホルダ６５を適正な位置に動作させるためのものとされている。上述した如く、サーボ（servo ）とは、制御の対象の状態を測定し、予め定められた基準値と比較して、自動的に修正制御する機構のものを意味する。
【００６１】
上述した如く、光検出器は、「Photo Diode IC」と呼ばれ、「ＰＤＩＣ」と略称されている。また、ハーフミラー５５（図１〜図５）は、一部のレーザ光を透過させ、一部のレーザ光を反射させるものとされている。ハーフミラー（Half Mirror ）は、「ＨＭ」と略称される。アクチェータとは、あるものを移動させたり調整させたりするものを意味する。アクチュエータ３０（図６）は、レンズホルダ６５の内側に巻かれた略矩形円筒状のコイルと、略矩形円筒状のコイルの近傍に位置する磁石とを備えるものとして構成されている。また、電流が流されるコイルを備えたレンズホルダ６５は、アクチュエータ３０を構成するものとされる。アクチュエータ３０により、ＯＢＬ６０を備えたレンズホルダ６５のフォーカス制御や、トラッキング制御が行われる。
【００６２】
また、例えば図１〜図６に示す光ピックアップ装置１に、ＬＤ２０から出力されるレーザ光をモニタして、ＬＤ２０の制御のためにフィードバックをかけさせるフロントモニタダイオード（図示せず）が装備されたものも使用可能とされる。
【００６３】
不図示の前記ＬＤＤと、前記ＬＤ２０（図１，図６）と、前記アクチュエータ３０（図６）と、前記ＰＤＩＣ１０（図１，図６）と、コンデンサ９１（図１，図６），９２（図６）とは、フレキシブル基板１００に通電可能に接続される。また、ＰＤＩＣ１０、ＬＤ２０、コンデンサ９１，９２などの各種電気／電子部品は、フレキシブル基板１００に装着される。
【００６４】
図１の如く、フレキシブル基板１００は、フレキシブル基板１００の本体を構成するメイン回路部１０１と、メイン回路部１０１から枝分れ形成されたサブ回路部１１０，１２０，１３０とを少なくとも備えるものとして形成されている。フレキシブル基板１００は、可撓性に優れる薄肉状の回路基板として形成されている。
【００６５】
フレキシブル基板１００（図１，図６）の各部について詳しく説明すると、フレキシブル基板１００は、フレキシブル基板１００の本体を構成するメイン回路部１０１と、メイン回路部１０１に設けられ相手側の回路基板（図示せず）に接続されるコネクタ部１０５と、メイン回路部１０１から延設されＰＤＩＣ１０と通電可能に接続される第一サブ回路部１１０と、メイン回路部１０１から延設され２波長ＬＤ２０と通電可能に接続される第二サブ回路部１２０と、メイン回路部１０１から延設されレンズホルダ６５（図６）を駆動させるアクチュエータ３０と通電可能に接続される第三サブ回路部１３０（図１）とを少なくとも備えるものとして形成されている。
【００６６】
フレキシブル基板１００（図１，図６）として、フレキシブルプリント回路体が用いられた。上述した如く、フレキシブルプリント回路体（Flexible Printed Circuit）は、「ＦＰＣ」と略称されている。ＦＰＣは、複数の回路導体（図示せず）が絶縁シートに印刷されて、例えば銅箔などの金属箔（図示せず）が絶縁シートに並設され、その上に保護層（図示せず）が設けられたものとされている。図１および図６に示すＦＰＣ１００の回路導体は、省略されている。ＦＰＣ１００は、便宜上、簡略化されたものとして示されている。
【００６７】
ＬＤ２０（図２，図３）が収容されたＬＤホルダ２５と、回折格子７０と、プリズム８０と、中間レンズ４０と、ＲＭ５０と、ＨＭ５５と、ＰＤＩＣ１０（図１，図６）と、ＦＰＣ１００とは、ハウジング５に装備される。また、対物レンズ６０を適正な位置に動作させるアクチュエータ３０（図６）は、ハウジング５に構成される。光ピックアップ装置１は、上述した各種のものを備えるものとして構成されている。
【００６８】
ハウジング５（図２，図３）は、回折格子７０と、プリズム８０と、中間レンズ４０と、ＲＭ５０と、ＨＭ５５と、ＯＢＬ６０（図６）を備えたレンズホルダ６５と、アクチュエータ３０を構成するもの等とが収容されるハウジング本体５Ｈ（図２，図３）を備えるものとされている。周壁５Ａが形成されることで、ハウジング本体５Ｈが形成される。ハウジング本体５Ｈを構成する周壁５Ａは、基壁５Ａｂと、基壁５Ａｂに対して略直交する方向に延設された外周壁５Ｂとを少なくとも備えるものとして形成されている。ハウジング本体５Ｈの大きい収容部５Ｃ内に、回折格子７０、プリズム８０、中間レンズ４０、ＲＭ５０、ＨＭ５５、ＯＢＬ６０（図６）を備えたレンズホルダ６５、アクチュエータ３０を構成する各々のもの等が収納される。
【００６９】
また、ハウジング５は、上記各部品が装備されるハウジング本体５Ｈと、ハウジング本体５Ｈから突設され第一ガイド軸（図示せず）と合わせられる第一ガイド部５Ｉと、第一ガイド部５Ｉに対し反対側に向けてハウジング本体５Ｈから突設され第二ガイド軸（図示せず）と合わせられる第二ガイド部５II，５IIとを備えるものとして形成されている。
【００７０】
前記第一ガイド部５Ｉと、前記第二ガイド部５II，５IIとは、射出成形が行われて前記ハウジング本体５Ｈと一体成形されている。前記第一ガイド部５Ｉと、前記第二ガイド部５II，５IIと、前記ハウジング本体５Ｈとは、同一の材料が用いられて射出成形により一つのものとして形成されている。射出成形法に基づいてハウジング５が形成されることにより、図２および図４に示す複雑な形状のハウジング５とされていても、効率よく大量にハウジング５が生産される。
【００７１】
図１〜図６の如く、光ピックアップ装置１は、レーザ光を発するＬＤ２０と、ＬＤ２０が装備される耐熱性合成重合体製のハウジング５とを少なくとも備えるものとして構成されている。ＬＤ２０の本体は、ＬＤ２０を外部のものから保護する金属製ＬＤホルダ２５のホルダ本体２５Ｈ内に収容されている。ホルダ本体２５Ｈは、ＬＤ２０を収容可能な略矩形箱状をしたものとされている。ＬＤ２０から発せられる熱は、金属製のＬＤホルダ２５に伝えられる。ＬＤホルダ２５を構成するホルダ本体２５Ｈに、ＬＤ２０から発せられる熱を速やかに発散させる略矩形柱状の突出部２７（図１，図２，図４）が設けられている。この突出部２７は、ハウジング５全体の収容部５Ｃ（図１〜図３）内に位置するものとされている。突出部２７は、ハウジング５の周壁５Ａにより囲まれて形成された収容部５Ｃ内に位置するものとされている。
【００７２】
このような光ピックアップ装置１が構成されていれば、ＬＤ２０から発せられる熱は、ＬＤ２０を保護するＬＤホルダ２５に設けられた突出部２７など金属製ＬＤホルダ２５全体から外部へ逃され易くなる。ＬＤ２０を備えるＬＤホルダ２５のホルダ本体２５Ｈに、ＬＤ２０から発せられる熱を発散させる略矩形柱状の突出部２７が設けられているから、ＬＤホルダ２５全体の表面積が増やされる。ＬＤホルダ２５に設けられた突出部２７は、例えばＬＤ２０などの電気／電子部品の放熱を促進させるヒートシンクとしての機能を果すものとされている。従って、ＬＤ２０を備えるＬＤホルダ２５が蓄熱されるということは回避され、ＬＤホルダ２５全体から熱が逃がされ易くなる。
【００７３】
これにより、ＬＤ２０自身から発せられた熱によって、ＬＤホルダ２５に収められたＬ
Ｄ２０が蓄熱され、このことから、ＬＤ２０から定められた波長のレーザ光が出射されないということは、回避される。ＬＤ２０の温度上昇が抑えられるから、定められた波長のレーザ光がＬＤ２０から出射される。ヒートシンク（heat sink ）とは、コンピュータのＣＰＵなどから生じる熱を吸収すると共に、この熱を発散させるための金属板を意味する。「ＣＰＵ」は、「Central Processing Unit 」の略称とされ、中央演算装置を意味する。
【００７４】
また、ＬＤ２０から発せられる熱を発散させるＬＤホルダ２５の突出部２７は、ハウジング５全体の収容部５Ｃ内に位置するものとされているから、ＬＤホルダ２５の突出部２７が光ピックアップ装置１の外側に向けてとび出された状態となることは、回避される。突出部２７は、ハウジング５の周壁５Ａにより囲まれて形成された収容部５Ｃ内に位置するものとされているので、光ピックアップ装置１が組み立てられたときに、ＬＤホルダ２５の突出部２７が、光ピックアップ装置１の外側に向けてとび出された状態になるということはない。
【００７５】
従って、図６の如く、光ピックアップ装置１は、コンパクトなものとして構成される。ハウジング５の収容部５Ｃもしくはハウジング５全体の収容部５Ｃとは、ハウジング本体５Ｈを構成する基壁５Ａｂと、基壁５Ａｂに対し略直交する方向に延設された外周壁５Ｂとにより囲まれて形成された収容室５Ｃを意味する。
【００７６】
ＬＤホルダ２５は、耐食性や、価格の点で優れる亜鉛を含有した合金が用いられて形成されている。亜鉛や、アルミニウムなどの非鉄金属や、亜鉛や、アルミニウムを含有する合金が用いられて、ＬＤホルダが形成されていれば、ＬＤホルダから錆などが生じることなく、ＬＤホルダの放熱も良好に行われる。亜鉛や、アルミニウムは、耐食性に優れたものとされ、鉄よりも比重の小さい非鉄金属とされている。
【００７７】
ＬＤホルダ２５（図１，図２，図４）に突設された突出部２７は、ＬＤ２０の放熱を促進させる略矩形柱状の熱発散部と、ハウジング５に不用意に衝撃が加えられたときに、ハウジング５からＬＤホルダ２５が外されることを防止する略矩形柱状のホルダ支持部とを兼ねたものとして形成されている。
【００７８】
詳しく説明すると、ＬＤホルダ２５を構成するホルダ本体２５Ｈに突設された略矩形柱状の突出部２７は、ＬＤ２０の放熱を促進させる略矩形棒状の熱発散棒と、ハウジング５に不用意に衝撃が加えられたときに、ハウジング５からＬＤホルダ２５が外されることを防止する略矩形棒状のホルダ支持棒とを兼ねた放熱支持片２７として形成されている。
【００７９】
このような放熱支持片２７がＬＤホルダ２５に設けられていれば、ＬＤ２０の放熱は、ＬＤホルダ２５全体にわたって速やかに行われる。また、これと共に、ハウジング５に不用意に衝撃が加えられても、ＬＤ２０を備えるＬＤホルダ２５がハウジング５から外れるということは、回避され易くなる。従って、光ピックアップ装置１が、少々、乱暴に取り扱われることがあっても、破損され難い光ピックアップ装置１を、光ディスク装置（図示せず）の組立メーカなどに提供することができる。
【００８０】
ＬＤホルダ２５を構成するホルダ本体２５Ｈに突設された略矩形柱状の突出部２７は、細長い略直方体として形成された略矩形棒状の単一の突出部２７とされている。この単一の突出部２７に対応して、ハウジング５（図２，図４）を構成するハウジング本体５Ｈに、ＬＤホルダ２５の突出部２７が挿入可能な細長い略矩形箱状の収容部５Ｆが設けられている。
【００８１】
このような形状をしたハウジング５が形成されていれば、ＬＤ２０が収められるＬＤホ
ルダ２５の本体２５Ｈに突設された突出部２７は、ハウジング５の本体５Ｈに穿設された所定の収容部５Ｆ内に容易に挿入される。従って、ハウジング５に対するＬＤホルダ２５の装着作業は、容易に行われる。
【００８２】
また、ＬＤホルダ２５に設けられた略矩形棒状の単一の突出部２７が挿入可能とされる細長い略矩形箱状の収容部５Ｆが、ハウジング５に設けられているから、光ピックアップ装置１が、少々、乱暴に取り扱われて、光ピックアップ装置１を構成するハウジング５に衝撃が加えられても、ハウジング５からＬＤホルダ２５が簡単に外れ、光ピックアップ装置１が破損するということは、回避され易くなる。従って、破損され難い光ピックアップ装置１を、光ディスク装置の組立メーカなどに提供することができる。
【００８３】
ＬＤホルダ２５（図１，図２，図４）に設けられた略矩形棒状の突出部２７は、ハウジング５を構成するハウジング本体５Ｈの略矩形状をした開口部５Ｅから細長い略矩形箱状の収容部５Ｆ内に挿入される。このようにして、ハウジング５にＬＤホルダ２５が挿着される。
【００８４】
図１〜図６の如く、ＬＤホルダ２５の本体２５Ｈに、ＬＤホルダ２５の熱を発散させる複数の薄肉状放熱フィン２８が設けられている。このような放熱フィン２８がＬＤホルダ２５の本体２５Ｈに設けられていれば、ＬＤ２０から発せられる熱によりＬＤホルダ２５が蓄熱されるということは、回避される。従って、ＬＤホルダ２５内に収められたＬＤ２０から出射されるレーザ光の波長が大きく変化するということは、回避される。
【００８５】
また、放熱性に優れるＬＤホルダ２５が用いられることにより、光ピックアップ装置１に熱がたまり、光ピックアップ装置１が異常に高温化されるということは、回避される。従って、光ピックアップ装置１が高温化され、激しい温度変化条件下で光ピックアップ装置１が使用されるということは、回避され易くなる。
【００８６】
各放熱フィン２８は、ＬＤホルダ２５の本体２５Ｈから突出されることなく、ホルダ本体２５Ｈに彫り込まれるようにして設けられている。このように、ＬＤホルダ２５の本体２５Ｈ自身に彫り込まれるようにして設けられた複数の薄肉状放熱フィン２８と、ＬＤホルダ２５の本体２５ＨからＬＤホルダ２５の外側に向けて突設された略矩形棒状の単一の放熱支持片２７とは、異なるものとされている。
【００８７】
ＬＤホルダ２５（図１，図２，図４）を構成するホルダ本体２５Ｈに突設された略平板状の突出部２７は、細長い略矩形棒状に形成されて、略平面状をした一側面２７ａと、一側面２７ａの反対側の略平面状をした他側面２７ｂとを備えるものとされている。
【００８８】
また、ハウジング５（図２，図４）の本体５Ｈに穿設された細長い収容部５Ｆは、ＬＤホルダ２５の突出部２７の一側面２７ａに対応した略平板状の一側壁５Ｆａと、ＬＤホルダ２５の突出部２７の他側面２７ｂに対応した略平板状の他側壁５Ｆｂとを備えた細長いものとされている。
【００８９】
ハウジング５の本体５Ｈに一体のものとして設けられた前記一側壁５Ｆａと、前記他側壁５Ｆｂとを結ぶ略平板状の各連結壁５Ｇ１（図２），５Ｇ２，５Ｇ３（図４）が、細長い収容部５Ｆを構成するものとしてハウジング５に設けられている。ハウジング５の本体５Ｈに一体のものとして設けられた各連結壁５Ｇ１（図２），５Ｇ２，５Ｇ３（図４）は、ハウジング５の細長い収容部５Ｆの上下に千鳥状に設けられている。
【００９０】
このようにすることで、ＬＤホルダ２５内に収めされたＬＤ２０から生じる熱は、ＬＤホルダ２５の突出部２７が収容可能なハウジング５の収容部５Ｆ内にこもることなく、ハ
ウジング５の外部に逃される。ＬＤホルダ２５内に収めされたＬＤ２０から生じた熱は、ハウジング５の収容部５Ｆの上下に千鳥状に設けられた各連結壁５Ｇ１，５Ｇ２，５Ｇ３以外の各空間部５Ｆ１（図２，図３），５Ｆ２（図４，図５），５Ｆ３を主に通り抜け、ハウジング５の外部へ逃される。
【００９１】
また、光ピックアップ装置１を構成するハウジング５に、不用意に衝撃が加えられても、ハウジング５に対するＬＤホルダ２５の取付位置に、大幅なずれが生じるということは、回避される。ハウジング５を備える光ピックアップ装置１に、不用意に衝撃が加えられたときに、収容部５Ｆを構成する一側壁５Ｆａや、他側壁５Ｆｂや、一側壁５Ｆａと他側壁５Ｆｂとを結ぶ上下千鳥状の連結壁５Ｇ１，５Ｇ２，５Ｇ３に、ＬＤホルダ２５の突出部２７が当てられる。光ピックアップ装置１に衝撃が加えられたときに、収容部５Ｆを構成する壁に、ＬＤホルダ２５の突出部２７が当たるので、それ以上、ＬＤホルダ２５の突出部２７の位置がずれるということは、回避される。従って、ハウジング５に不用意に衝撃が加えられることがあっても、ＬＤ２０を備えるＬＤホルダ２５がハウジング５から外れ、結果として光ピックアップ装置１が破損するということは、回避され易くなる。
【００９２】
ＬＤホルダ２５（図２，図４）の本体２５Ｈに設けられた放熱支持片２７に対応して、ハウジング５の本体５Ｈに、ＬＤホルダ２５の放熱支持片２７が収納可能な収容空間５Ｆが設けられている。ＬＤホルダ２５の本体２５Ｈに突設された放熱支持片２７は、ハウジング５の本体５Ｈに穿設された収容空間５Ｆよりも小さく形成されている。ＬＤホルダ２５の放熱支持片２７は、ハウジング５の所定の収容空間５Ｆ内に、隙間がもたされた状態で挿入可能なものとされている。ハウジング５にＬＤホルダ２５が取り付けられるときに、ＬＤホルダ２５の放熱支持片２７は、ハウジング５に対するＬＤホルダ２５の取付位置が調整可能なものとして、収容空間５Ｆ内に収納される。
【００９３】
このようにすることで、ＬＤ２０がハウジング５に装備されるときに、放熱支持片２７を備えるＬＤホルダ２５内に収められたＬＤ２０の取付位置は、容易に調整される。ハウジング５に設けられた所定の収容空間５Ｆに対し、ＬＤホルダ２５の放熱支持片２７は、調整可能なものとされているから、ＬＤ２０を備えるＬＤホルダ２５は、精度よくハウジング５に取り付けられる。また、これにより、ＬＤ２０や、回折格子７０や、プリズム８０などの光路系のものが精度よく組み立てられて構成された光ピックアップ装置１を、光ディスク装置の組立メーカなどに提供することができる。
【００９４】
ハウジング５（図１，図４）に対してＬＤホルダ２５を位置決めさせ易くする案内部５Ｂｊが、ハウジング５に設けられている。この案内部５Ｂｊに対応した相手側案内部２５Ｂｊが、ＬＤホルダ２５に設けられている。ハウジング５にＬＤホルダ２５が取り付けられるときに、ハウジング５の案内部５Ｂｊに、ＬＤホルダ２５の相手側案内部２５Ｂｊが合わせられることで、ＬＤホルダ２５は、位置決めされつつ、ハウジング５に取り付けられる。
【００９５】
詳しく説明すると、ハウジング本体５Ｈを構成する周壁５Ｂの一側壁５Ｂｉに、ハウジング５に対するＬＤホルダ２５の取付位置の調整を容易にさせる案内凹部５Ｂｊが設けられている。ハウジング本体５Ｈを構成する周壁５Ｂの一側壁５Ｂｉに設けられた案内凹部５Ｂｊに対応して、ＬＤホルダ２５を構成する本体２５Ｈの一側壁２５Ｂｉに、ハウジング５に対するＬＤホルダ２５の取付位置の調整を容易にさせる案内凸部２５Ｂｊが設けられている。
【００９６】
このような案内部５Ｂｊ，２５Ｂｊを備える光ピックアップ装置１とされていれば、ＬＤ２０を内部に備えるＬＤホルダ２５は、精度よく位置決めされた状態で容易にハウジング５に取り付けられる（図３，図５）。ＬＤ２０を備えるＬＤホルダ２５が、精度よくハ
ウジング５に取り付けられることにより、高精度な光ピックアップ装置１が構成される。
【００９７】
また、ハウジング５の案内部５Ｂｊに、ＬＤホルダ２５の相手側案内部２５Ｂｊが合わせられているから、光ピックアップ装置１が、少々、乱暴に取り扱われ、光ピックアップ装置１を構成するハウジング５が衝撃を受けても、ハウジング５からＬＤホルダ２５が簡単に外れ、光ピックアップ装置１が破損するということは、回避され易くなる。従って、位置調整が行われ易く、且つ、衝撃に強い光ピックアップ装置１を、光ディスク装置の組立メーカなどに提供することができる。
【００９８】
ハウジング５（図１〜図５）にＬＤホルダ２５が装着されるときに、ハウジング５の本体５Ｈを構成する外周壁５Ｂの一側壁５Ｂｉに、ＬＤホルダ２５の本体２５Ｈを構成する一側壁２５Ｂｉが合わせられる。また、ハウジング５にＬＤホルダ２５が接着されるときに、光が当てられることで硬化する光硬化型接着剤２００（図３，図５）が用いられて、ハウジング５にＬＤホルダ２５を固定させるための接着作業が行われた。詳しく説明すると、ハウジング５（図１〜図５）に対してＬＤホルダ２５が固定されるときに、紫外線が照射されることで硬化する紫外線硬化型接着剤２００（図３，図５）が用いられて接着が行われ、これにより、ハウジング５にＬＤホルダ２５が固定されている。接着剤２００は、便宜上、黒く塗りつぶされた状態で示されている。
【００９９】
紫外線硬化型接着剤２００などの光硬化型接着剤２００が用いられて接着工程が行われるものとされていれば、ＬＤ２０を備えるＬＤホルダ２５は、容易で迅速にハウジング５に固定される。光硬化型接着剤２００に光が当てられることで、光硬化型接着剤２００の硬化反応が促進され、ハウジング５に対し、ＬＤホルダ２５は、接着される。詳しく説明すると、紫外線硬化型接着剤２００に紫外線が照射されることで、紫外線硬化型接着剤２００の硬化反応が促進され、ハウジング５に対し、ＬＤホルダ２５は、速やかに接着される。また、接着剤２００として紫外線硬化型接着剤２００などの光硬化型接着剤２００が用いられているから、ハウジング５に対し、ＬＤホルダ２５は、精度よく固定される。従って、ＬＤ２０を備えるＬＤホルダ２５が、ハウジング５に精度よく固定されて構成された高精度光ピックアップ装置１を、光ディスク装置の組立メーカなどに提供することができる。
【０１００】
紫外線硬化型接着剤２００（図３）などの光硬化型接着剤２００は、ハウジング５（図１〜図３）の本体５Ｈを構成する外周壁５Ｂの一側壁５Ｂｉの一縁端部５Ｂｐに塗布される。すなわち、ハウジング本体５Ｈを構成する外周壁５Ｂの一側壁５Ｂｉの上側端部５Ｂｐに、接着剤２００が塗布される。
【０１０１】
また、紫外線硬化型接着剤２００（図３）などの光硬化型接着剤２００は、ＬＤホルダ２５（図１〜図３）の本体２５Ｈを構成する一側壁２５Ｂｉの一端縁部２５Ｂｐに塗布される。すなわち、ＬＤホルダ本体２５Ｈを構成する一側壁２５Ｂｉの上側端部２５Ｂｐに、接着剤２００が塗布される。
【０１０２】
接着剤２００（図３）は、ハウジング５（図１〜図３）の本体５Ｈを構成する一側壁５Ｂｉの一縁端部５ＢｐからＬＤホルダ２５の本体２５Ｈを構成する一側壁２５Ｂｉの一端縁部２５Ｂｐまで架け渡された状態で塗布される（図３）。この接着剤２００が固化することにより、ハウジング５の本体５Ｈと、ＬＤホルダ２５の本体２５Ｈとを確実に繋ぐ接合部２００が形成される。
【０１０３】
また、紫外線硬化型接着剤２００（図５）などの光硬化型接着剤２００は、ハウジング５（図４，図５）の本体５Ｈを構成する外周壁５Ｂの一側壁５Ｂｉの他縁端部５Ｂｑに塗布される。接着剤２００は、一側壁５Ｂｉの一縁端部５Ｂｐ（図４）の反対側とされる他
縁端部５Ｂｑ（図４，図５）に塗布される。すなわち、ハウジング本体５Ｈを構成する外周壁５Ｂの一側壁５Ｂｉの下側端部５Ｂｑに、接着剤２００が塗布される。
【０１０４】
また、紫外線硬化型接着剤２００（図５）などの光硬化型接着剤２００は、ＬＤホルダ２５（図４，図５）の本体２５Ｈを構成する一側壁２５Ｂｉの他端縁部２５Ｂｑに塗布される。接着剤２００は、一側壁２５Ｂｉの一端縁部２５Ｂｐ（図１〜図３）の反対側とされる他端縁部２５Ｂｑに塗布される。すなわち、ＬＤホルダ本体２５Ｈを構成する一側壁２５Ｂｉの下側端部２５Ｂｑに、接着剤２００が塗布される。
【０１０５】
接着剤２００（図５）は、ハウジング５（図４，図５）の本体５Ｈを構成する一側壁５Ｂｉの他縁端部５ＢｑからＬＤホルダ２５の本体２５Ｈを構成する一側壁２５Ｂｉの他端縁部２５Ｂｑまで架け渡された状態で塗布される（図５）。この接着剤２００が固化することにより、ハウジング５の本体５Ｈと、ＬＤホルダ２５の本体２５Ｈとを確実に繋ぐ接合部２００が形成される。
【０１０６】
ハウジング５およびＬＤホルダ２５の上下両端部５Ｂｐ，５Ｂｑ，２５Ｂｐ，２５Ｂｑに接着剤２００が塗布され、上下両端部５Ｂｐ，５Ｂｑ，２５Ｂｐ，２５Ｂｑの接着剤２００が固化して接合部２００が形成されることで、ＬＤホルダ２５は、ハウジング５に確実に固着される。接合部２００の大きさは、略米粒大の略半分の大きさから略米粒大の大きさとされている。
【０１０７】
光硬化型接着剤の一種とされる紫外線硬化型接着剤として、例えば米国ＮＯＲＬＡＮＤ社製：光学ＵＶ接着剤ＮＯＡ６０，ＮＯＡ７７等が挙げられる。光学ＵＶ接着剤ＮＯＡ６０，ＮＯＡ７７等の紫外線硬化型接着剤は、アクリル系のものとされ、一液性の紫外線硬化型接着剤とされているため、二液性の紫外線硬化型接着剤が使用されるときに行われる液と液との混合作業が不要となる。従って、接着剤の塗布工程は、迅速で効率的に行われる。「ＵＶ」とは、「ultraviolet 」を意味し、「ultraviolet radiation 」は、「紫外線」を意味する。紫外線硬化型接着剤は、ＵＶ硬化型接着剤などと呼ばれている。光ピックアップ装置やフレキシブル基板の設計仕様などにより、例えば二液性の紫外線硬化型接着剤が用いられて接着工程が行われたものも使用可能とされる。二液性の紫外線硬化型接着剤として、例えば二液性エポキシ系の紫外線硬化型接着剤などが挙げられる。
【０１０８】
図１，図５の如く、ＬＤ２０へ電流を供給するためのＦＰＣ１００（図１，図６）が、光ピックアップ装置１に装備される。ＬＤホルダ２５内のＬＤ２０が通電可能に繋げられる接続部１２３が、ＦＰＣ１００の第二サブ回路部１２０に設けられている。ＬＤホルダ２５からＬＤホルダ２５の外側に突出されたＬＤ２０の端子部２４と、ＦＰＣ１００の第二サブ回路部１２０における接続部１２３の導体部（図示せず）とが半田付けされることで、ＬＤ２０は、ＦＰＣ１００に通電可能に接続される（図６）。
【０１０９】
ＬＤホルダ２５（図１〜図５）からＬＤホルダ２５の外側に突出されたＬＤ２０の端子部２４は、ＦＰＣ１００の第二サブ回路部１２０の接続部１２３に設けられた貫通孔１２４（図１，図６）を通り抜けて、ＦＰＣ１００の第二サブ回路部１２０の接続部１２３を突き抜けた状態とされる。その状態で、ＬＤホルダ２５（図６）の外側に突出されたＬＤ２０の端子部２４は、ＦＰＣ１００の第二サブ回路部１２０の回路導体（図示せず）に半田付けされて、ＦＰＣ１００の回路導体（図示せず）と通電可能に接続される。
【０１１０】
また、ＦＰＣ１００の第二サブ回路部１２０は、ハウジング５を構成する外周壁５Ｂ（図１〜図３，図６）に沿って配索されている。また、ハウジング５を構成する外周壁５Ｂ（図６）は、ＦＰＣ１００の第二サブ回路部１２０の接続部１２３近傍まで延設されている。収容部５Ｆを構成する他側壁５Ｆｂの外側に設けられた外周壁５Ｂの案内壁５Ｂａは
、ＦＰＣ１００の第二サブ回路部１２０の接続部１２３近傍まで延設されて、ＦＰＣ１００の第二サブ回路部１２０をガイドするものとされている。
【０１１１】
このようにすることで、光ピックアップ装置１を構成するハウジング５に不用意に衝撃が加えられても、ＬＤ２０を備えるＬＤホルダ２５がハウジング５から外れ、結果として光ピックアップ装置１が破損するということは、より回避され易くなる。ＬＤホルダ２５からＬＤホルダ２５の外側に突出されたＬＤ２０の端子部２４と、ＦＰＣ１００の第二サブ回路部１２０における接続部１２３の導体部とが半田付けされることで、ＬＤ２０を備えるＬＤホルダ２５は、ハウジング５に対し、より動かされ難いものとなる。
【０１１２】
また、ハウジング５を構成する外周壁５Ｂの案内壁５Ｂａに沿って、ＦＰＣ１００の第二サブ回路部１２０が配索されると共に、ハウジング５を構成する外周壁５Ｂの案内壁５Ｂａは、ＦＰＣ１００を構成する第二サブ回路部１２０の接続部１２３近傍まで延設されているから、ハウジング５に対し、ＦＰＣ１００も動かされ難いものとなる。これにより、ＦＰＣ１００を構成する第二サブ回路部１２０の接続部１２３に半田付けされたＬＤ２０を備えるＬＤホルダ２５は、ハウジング５に対して動かされ難いものとなる。従って、光ピックアップ装置１に衝撃などが加えられることにより、ＬＤ２０を備えるＬＤホルダ２５がハウジング５から不用意に外れ、結果として光ピックアップ装置１が破損するということは、より回避され易いものとなる。
【０１１３】
半田付けが行われることで、フレキシブル基板１００に、ＰＤＩＣ１０や、ＬＤ２０などの各種電気／電子部品が通電可能に接続されるために、ＦＰＣ１００の基部は、耐熱性に優れるポリイミド系樹脂などの耐熱性合成重合体が用いられて形成されている。ポリイミド（polyimide）は、「ＰＩ」と略称される。ポリイミド樹脂が用いられて基部が形成されたＦＰＣとして、例えば、日東電工社製：ニトフレックス（登録商標）や、東レ・デュポン社製カプトン（登録商標）などが挙げられる。
【０１１４】
日東電工社製ニトフレックス（登録商標）の商品として、例えば、高精細ＦＰＣ（両面）、高精細ＦＰＣ、微細接続ＦＰＣ、高絶縁信頼性ＦＰＣ、高耐熱性ＦＰＣ、高屈曲ＦＰＣなどが挙げられる。また、東レ・デュポン社製カプトン（登録商標）の商品として、例えば、Ｈタイプ、Ｖタイプ、ＳｕｐｅｒＶタイプ、ＥＮタイプ、ＫＪタイプなどが挙げられる。東レ・デュポン社製カプトン（登録商標）は、約−２６９℃の極低温から約＋４００℃の高温までの広い温度範囲に使用可能なものとされている。
【０１１５】
また、半田材として、環境に配慮された鉛を含有しない半田いわゆる鉛フリー半田が用いられた。半田材として、鉛フリー半田が用いられていれば、例えば光ピックアップ装置１もしくは光ピックアップ装置１に装備されたフレキシブル基板１００が廃棄されるときに、鉛により自然環境に影響が及ぶということは、回避される。鉛フリー半田として、例えば千住金属工業社製：エコソルダＭ３０などが挙げられる。また、リフロータイプの鉛フリー半田として、例えば千住金属工業社製：エコソルダＬ２１などが挙げられる。なお、前記鉛フリー半田に代えて、通常の半田材が用いられたものも使用可能とされる。通常の半田材として、例えば千住金属工業社製：スパークルペーストＯＺシリーズ等が挙げられる。
【０１１６】
半田付け方法として、例えば要部にクリーム状のリフロー半田材を塗布し、半田付け対象物をリフロー半田槽内に収容し、例えば約２４０〜２５０℃の温度でリフロー半田を溶かし、その後、徐々に冷却させることで、対象物の半田付け工程を行うといった方法などが挙げられる。ＦＰＣ１００は、半田付け工程が行われるときの約２４０〜２５０℃の温度に耐えることのできるポリイミドが基部に用いられて形成されているので、例えば熱によりＦＰＣ１００に変形が生じるということは、回避される。
【０１１７】
ポリイミドとして、例えば約２５０〜４００℃の熱に曝されても熱変形などの不具合が生じない耐熱性ポリイミドが用いられた。耐熱温度が約２５０℃よりも低いものとされた場合、そのものは、前記半田付け工程が行われるときの熱に耐えることができない。約４００℃よりも高い耐熱性をもつものは、高価なものとされ、そのようなものは、大量生産性に優れたものとされない。例えば約３００℃の熱に曝されても熱変形などの不具合が生じない耐熱性ポリイミドが用いられて形成されたものは、前記半田付け工程に十分耐えうる。
【０１１８】
光ピックアップ装置１を構成するハウジング５（図２，図４）は、射出成形が可能であって耐熱性を有する熱可塑性の合成樹脂材料が用いられて形成されている。
【０１１９】
射出成形が可能であって耐熱性を有する熱可塑性の合成樹脂材料が用いられて、ハウジング５が形成されていれば、軽量化された光ピックアップ装置１を、光ディスク装置などの組立メーカ等に提供することができる。昨今、光ピックアップ装置１や、光ピックアップ装置１を備える光ディスク装置（不図示）のさらなる軽量化が要求されているが、射出成形が可能であって耐熱性を有する熱可塑性の合成樹脂材料が用いられてハウジング５が形成され、これが光ピックアップ装置１に装備されることで、軽量化が行われた光ピックアップ装置１が構成される。基材が金属系材料とされたものに代えて、基材が合成樹脂材料とされたものが用いられてハウジング５が形成されることで、ハウジング５の軽量化が図られる。
【０１２０】
熱伝導性については、金属系材料のハウジング５のほうが良いものとされている。しかしながら、ＬＤ２０を備えるＬＤホルダ２５のホルダ本体２５Ｈに、ＬＤ２０自身から発せられる熱を速やかに発散させ放熱を促進させる略矩形柱状の突出部２７が設けられているから、ＬＤ２０自身から発せられる熱により、ＬＤホルダ２５に収められたＬＤ２０が蓄熱されて、ＬＤ２０から出射されるレーザ光の波長が変動し、ＬＤ２０から定められた波長のレーザ光が出射されないということは、回避される。従って、光ピックアップ装置１の軽量化を図るために、合成樹脂製のハウジング５が光ピックアップ装置１に適用されても、ＬＤ２０から定められた波長のレーザ光が出射される。
【０１２１】
射出成形が可能であって耐熱性を有する熱可塑性の合成樹脂材料として、例えば熱安定性性や、絶縁特性などの電気的特性や、機械的特性や、寸法安定性などに優れるポリフェニレンサルファイド等のポリアリーレンサルファイド系樹脂などが挙げられる。ポリフェニレンサルファイド（Poly Phenylene Sulfide）は、「ＰＰＳ」と略称される。ポリフェニレンサルファイド樹脂を基材としたものとして、例えば大日本インキ化学工業製：ＤＩＣ・ＰＰＳ＿ガラス繊維強化耐熱タイプ（架橋型）ＦＺ−１１３０−Ｄ５等が挙げられる。基材にガラス繊維が混合されることで、ハウジング５の機械的特性などが強化される。前記ＰＰＳが用いられてハウジング５が形成された。
【０１２２】
このようにハウジング５は、ＰＰＳなどの合成重合体が基材として用いられ、射出成形法に基づいて形成されている。射出成形法に基づいてハウジング５が形成されることにより、図２および図４に示す複雑な形状のハウジング５とされていても、効率よく大量にハウジング５が生産される。また、ＰＰＳなどの合成重合体が用いられてハウジング５が形成されることにより、金属製ハウジングよりも軽量化されたハウジング５が形成されることとなる。従って、光ピックアップ装置１の軽量化が図られる。また、これにより、光ピックアップ装置１が内蔵された光ディスク装置（図示せず）の軽量化を図ることができる。
【０１２３】
光ピックアップ装置の設計仕様などにより、ＰＰＳなどの合成樹脂に代えて、例えば、
亜鉛や、アルミニウムなどの非鉄金属や、亜鉛や、アルミニウムを含有する合金が用いられて、ハウジングが形成されたものも使用可能とされる。亜鉛や、アルミニウムは、耐食性に優れたものとされ、鉄よりも比重の小さい非鉄金属とされている。
【０１２４】
次に、ＬＤ２０をホルダ本体２５Ｈ内に備えると共に放熱支持用の突出部２７を備えた金属製のＬＤホルダ２５が、合成樹脂製のハウジング５に取り付けられ、光ピックアップ装置１が組み立てられる状態について、図１〜図６を用いて説明する。
【０１２５】
図２の如く、回折格子７０、プリズム８０、中間レンズ４０、ＲＭ５０、ＨＭ５５などが、ハウジング５を構成する周壁５Ａの収容部５Ｃ内に装備される。また、対物レンズ６０（図６）を適正な位置に動作させるアクチュエータ３０が、ハウジング５の収容部５Ｃ内に構成される。また、図２〜図５の如く、ＬＤ２０を備えるホルダ２５が、ハウジング５に取り付けられる。
【０１２６】
次に、図３および図５の如く、ＬＤホルダ２５をハウジング５に固定する紫外線硬化型接着剤２００が、ＬＤホルダ２５と、ハウジング５とに塗布される。紫外線硬化型接着剤２００に紫外線が照射され、紫外線硬化型接着剤２００が硬化することで、ＬＤホルダ２５は、ハウジング５に確実に固定される。
【０１２７】
その後、ＰＤＩＣ１０（図１）を備えるフレキシブル基板１００の取付部１０８が、ハウジング５の上に合わせられ、ハウジング５に装備されたＬＤ２０や、アクチュエータ３０を構成するコイルなどの各種電気／電子部品と、フレキシブル基板１００とが通電可能に接続される（図６）。
【０１２８】
その後、ハウジング５の上面に、ハウジング５内の各種のものを保護する被覆板１５０が被せられる。放熱性に優れる金属製の被覆板１５０には、レンズホルダ６５の周辺を囲む合成重合体製の黒色系囲み部材１６０が設けられている。
【０１２９】
ハウジング５の第一ガイド部５Ｉに、第一ガイド軸（図示せず）が合わせられ、ハウジング５の第二ガイド部５II，５IIに、第二ガイド軸（図示せず）が合わせられる。光ピックアップ装置１のハウジング５は、前記第一ガイド軸および前記第二ガイド軸に支持された状態で移動する。ハウジング５に設けられた各ガイド部５Ｉ，５II，５IIは、ハウジング本体５Ｈと同じ耐熱性合成重合体を基材とするものから形成されているので、摺動性に優れたものとされる。光ピックアップ装置１のハウジング５は、フレキシブル基板１００のメイン回路部１０１の長手方向に略沿って移動する。
【０１３０】
上記光ピックアップ装置１は、例えばＣＤ−ＲＯＭ，ＤＶＤ−ＲＯＭなどに対応したデータ読出し専用の光ディスク装置に装備可能とされる。また、上記光ピックアップ装置１は、例えば、ＣＤ−ＲＯＭ，ＤＶＤ−ＲＯＭなどの読出し専用の光ディスクや、ＣＤ−Ｒ，ＤＶＤ−Ｒ，ＤＶＤ＋Ｒなどの追記型の光ディスクや、ＣＤ−ＲＷ，ＤＶＤ−ＲＷ，ＤＶＤ＋ＲＷ，ＤＶＤ−ＲＡＭ，ＨＤ−ＤＶＤ，Blu-ray Discなどの書込み／消去や書換え可能なタイプの光ディスクに対応した光ディスク装置に装備可能とされる。
【０１３１】
また、上記光ピックアップ装置１を備える不図示の光ディスク装置は、例えば、ノート型パーソナルコンピュータ（図示せず）や、デスクトップ型パーソナルコンピュータ（図示せず）などのパーソナルコンピュータ（Personal Computer ）や、ＣＤプレーヤなどの音響機器や、ＤＶＤプレーヤなどの音響／映像機器（図示せず）などに装備可能なものとされる。パーソナルコンピュータ（Personal Computer ）は、「ＰＣ」と略称とされている。また、上記光ディスク装置は、ＣＤ系光ディスクや、ＤＶＤ系光ディスク等の複数のメディアに対応可能なものとされる。
【０１３２】
不図示の光ディスク装置は、例えばＣＤまたはＤＶＤの何れか一方または両方の光ディスクを使用可能なプレーヤ（図示せず）などとして構成される。ＣＤプレーヤや、ＤＶＤプレーヤや、ＣＤおよびＤＶＤの両方の光ディスクが使用可能なプレーヤは、例えば、ノート型ＰＣや、据え置き型ＰＣなどに組み込まれて使用される。デスクトップ型コンピュータは、卓上型コンピュータとされ、机の上で使用可能なコンピュータとされている。しかしながら、デスクトップ型コンピュータは、容易に持運びができないタイプのものとされている。
【０１３３】
デスクトップ型ＰＣに対し、ノート型ＰＣは、軽量化、軽薄化が要求されることから、スリム型ドライブとされる光ディスク装置（図示せず）を備えた構造のものとされている。ノート型ＰＣは、デスクトップ型ＰＣと異なる構造のものとされている。ノート型ＰＣは、不図示のディスプレイと、不図示のパーソナルコンピュータ本体とが、一体構造のものとされている。パーソナルコンピュータ本体に対し、ディスプレイが折りたたまれることで、ノート型ＰＣは、薄型サイズのものとなる。ノート型ＰＣは、このものが折りたたまれて平面視されたときに、略Ａ４判もしくはこれ以下の大きさの汎用ＰＣとされる。このようなことから、ノート型ＰＣは、ブック型ＰＣとも呼ばれている。このように、ノート型ＰＣは、コンパクトなものとされて容易に持運びができるものとされている。
【０１３４】
光ピックアップ装置１（図１〜図６）を構成するハウジング５は、薄型とされるノート型ＰＣ用ディスク装置に装備可能なものとされている。このため、ハウジング５は、略扁平形状をした薄型のものとして形成されている。
【０１３５】
ＬＤホルダ２５を構成するホルダ本体２５Ｈに、ＬＤ２０から発せられる熱を速やかに発散させる放熱用突出部２７（図１，図２，図４）が設けられているので、デスクトップ型ＰＣ用ディスク装置よりも使用温度条件が厳しいノート型ＰＣ用ディスク装置に、ＬＤ２０およびＬＤホルダ２５を備える光ピックアップ装置１が装備されても、光ピックアップ装置１は正常に機能する。
【０１３６】
最近のノート型ＰＣは、高性能化されると共に、小型化、軽量化、軽薄化される傾向にある。ノート型ＰＣの小型化、軽量化、軽薄化に伴って、光ピックアップ装置１も、小型化、軽量化、軽薄化されつつある。また、ノート型ＰＣが高性能化されると、ノート型ＰＣから多くの熱が発生することとなる。デスクトップ型ＰＣに対し、ノート型ＰＣは小さいものとされ、また、ノート型ＰＣが高性能化されることにより、ノート型ＰＣの内部は、デスクトップ型ＰＣの内部よりも高温となり易い。従って、ノート型ＰＣ用ディスク装置に装備された光ピックアップ装置１は、高温に曝され易くなり、熱の影響を受け易くなる。ノート型ＰＣに装備された光ピックアップ装置１１は、約０℃〜７０℃の温度条件下で使用される。
【０１３７】
しかしながら、ＬＤ２０が収められるＬＤホルダ２５に、ＬＤ２０から発せられる熱を速やかに発散させる放熱用突出部２７が設けられていれば、ＬＤ２０の温度上昇は抑えられる。ＬＤ２０の温度上昇が抑えられるから、定められた波長のレーザ光がＬＤ２０から出射される。従って、ノート型ＰＣ用ディスク装置の光ピックアップ装置１のＬＤ２０から出射されるレーザ光の波長に、大きな変動が生じるということは、回避され易くなる。
【０１３８】
本発明の光ピックアップ装置は、図示されたものに限定されるものではない。例えば、冷却用ファンなどの冷却装置が設けられたＰＣや音響／映像機器などに、本発明の光ピックアップ装置が装備されてもよい。また、冷却用ファンなどの冷却装置が設けられていないＰＣや音響／映像機器などに、本発明の光ピックアップ装置が装備されてもよい。
【０１３９】
また、例えば、フレキシブル基板１００を構成する第一サブ回路部１１０に、アルミニウム製の支持板や耐熱性合成樹脂製の支持板が備えられたものや、フレキシブル基板１００を構成する第一サブ回路部１１０に、アルミニウム製の支持板や耐熱性合成樹脂製の支持板が備えられていないものに、本発明のものが適用可能とされる。本発明のものは、その要旨を逸脱しない範囲において、種々変更可能なものとされる。
【図面の簡単な説明】
【０１４０】
【図１】本発明に係る光ピックアップ装置の一実施形態を示す分解斜視図である。
【図２】発光素子を備えるホルダがハウジングに取り付けられる状態を示す分解斜視図である。
【図３】発光素子を備えるホルダがハウジングに取り付けられた状態を示す斜視図である。
【図４】発光素子を備えるホルダがハウジングに取り付けられる状態を示す分解斜視図である。
【図５】発光素子を備えるホルダがハウジングに取り付けられた状態を示す斜視図である。
【図６】光ピックアップ装置が組み立てられた状態を示す斜視図である。
【図７】従来の光ピックアップ装置の一形態を示す説明図である。
【符号の説明】
【０１４１】
１          光ピックアップ装置
５          ハウジング
５Ａ        周壁
５Ａｂ      基壁
５Ｂ        外周壁（周壁）
５Ｂａ      案内壁
５Ｂｉ      一側壁
５Ｂｊ      案内凹部（案内部）
５Ｂｎ      レーザ孔
５Ｂｐ      一縁端部（端部）
５Ｂｑ      他縁端部（端部）
５Ｃ        収容室（収容部）
５Ｄ，５Ｅ  開口部
５Ｆ        収容空間（収容部）
５Ｆ１，５Ｆ２，５Ｆ３    空間部
５Ｆａ      一側壁（側壁）
５Ｆｂ      他側壁（側壁）
５Ｇ１，５Ｇ２，５Ｇ３    連結壁
５Ｈ        ハウジング本体（本体）
５Ｉ        第一ガイド部（ガイド部）
５II        第二ガイド部（ガイド部）
１０        ＰＤＩＣ（光検出器）
２０        ＬＤ（発光素子）
２４        端子部
２５        ＬＤホルダ（ホルダ）
２５Ｂｉ    一側壁
２５Ｂｊ    案内凸部（案内部）
２５Ｂｐ    一端縁部（端部）
２５Ｂｑ    他端縁部（端部）
２５Ｈ      ホルダ本体（本体）
２７        放熱支持片（突出部）
２７ａ      一側面
２７ｂ      他側面
２８        放熱フィン
３０        アクチュエータ
４０        中間レンズ
５０        ＲＭ（リフレクトミラー）
５５        ＨＭ（ハーフミラー）
６０        ＯＢＬ（対物レンズ）
６５        レンズホルダ
７０        回折格子
８０        プリズム
９１，９２  コンデンサ
１００      ＦＰＣ（フレキシブル基板）
１０１      メイン回路部
１０５      コネクタ部
１０８      取付部
１１０      第一サブ回路部（サブ回路部）
１２０      第二サブ回路部（サブ回路部）
１２３      接続部
１２４      貫通孔
１３０      第三サブ回路部（サブ回路部）
１５０      被覆板
１６０      囲み部材
２００      接着剤（接合部）
【図１】
2005339759.tif 000003
【図２】
2005339759.tif 000004
【図３】
2005339759.tif 000005
【図４】
2005339759.tif 000006
【図５】
2005339759.tif 000007
【図６】
2005339759.tif 000008
【図７】
2005339759.tif 000009